(57)【特許請求の範囲】
【請求項１】
基礎コンクリートとその上方に配置されるコンクリートブロックとの間に設置され、前記コンクリートブロックの高さ調整をするためのレベル調整具であって、
ナットと、前記ナットの上半分に螺合される第１ボルトと、前記ナットの下半分に螺合され、前記第１ボルトとは反対方向のねじ山を有する第２ボルトとからなり、前記第２ボルトの下面が前記基礎コンクリート上に配置される高さ調整部と、
前記高さ調整部の前記第１ボルトの上面に一体的に接続され、前記コンクリートブロックの端部における底面の一部に沿う水平部材と前記コンクリートブロックの端部における側面の一部に沿う垂直部材とからなるＬ字形状の垂直断面を有する部材を含む位置決め部とを備え、
前記垂直部材には、それを外方から貫通する態様でねじ込まれる調整用ボルトが取付けられる、レベル調整具。
【請求項２】
前記垂直部材には、上方が開いた切欠部が形成される、請求項１記載のレベル調整具。
【請求項３】
前記垂直部材には、外方にかつ水平方向に伸びる補助部材が接続される、請求項１又は請求項２に記載のレベル調整具。
【請求項４】
前記水平部材の上面に配置され、前記コンクリートブロックの底面に接触するシート状の敷板を更に備えた、請求項１から請求項３のいずれかに記載のレベル調整具。
【発明の詳細な説明】
【０００１】
【発明の属する技術分野】
この発明はレベル調整具に関し、特に基礎コンクリートの上方に配置されるコンクリートブロックの水平レベルを調整するためのレベル調整具に関するものである。
【０００２】
【従来の技術】
図７は特開平１０−３３１１７７号公報に開示されているコンクリートブロックのレベル調整具の使用状態を示した概略図である。
【０００３】
図を参照して、基礎コンクリート１８の上方に配置されるＬ型擁壁１９の底面には、その両端から内方に入った位置でレベル調整具６１ａ，レベル調整具６１ｂが取付けられている。レベル調整具６１ａはターンバックル式ナット６３を中心として構成され、ターンバックル式ナット６３の上方には平頭ボルト６４がねじ込まれ、ターンバックル式ナット６３の下部には平頭ボルト６４とは反対方向のねじ山が切られた全ネジボルト６５がねじ込まれている。
【０００４】
又、全ネジボルト６５の下方端は四角シート形状のベース板６６にねじ込まれている。このようにレベル調整具６１ａ，レベル調整具６１ｂは構成されており、ターンバックル式ナット６３をいずれか一方方向に回転させることによって平頭ボルト６４の上面とベース板６６の下面との距離が増減する。
【０００５】
使用時にはレベル調整具６１ａ，レベル調整具６１ｂの各々の高さを調整することによって、Ｌ型擁壁１９と基礎コンクリート１８との間の距離Ｈを調整してＬ型擁壁１９の設置水平レベルを調整する。
【０００６】
【発明が解決しようとする課題】
上記のような従来のレベル調整具では、設置後の上下方向の調整については問題ないものの、それらの設置位置が一定しないという問題があった。
【０００７】
すなわち、図７に示すようにレベル調整具６１ａのＬ型擁壁１９の左側面からの取付位置までの距離Ａやレベル調整具６１ｂのＬ型擁壁１９の右側面からの取付位置までの距離Ｂが一定化しない場合がある。この場合、図に示すＬ型擁壁１９のような左右の重量バランスが異なったコンクリートブロックでは、レベル調整具６１ａ，レベル調整具６１ｂの端部からの設置距離によってはその取付状態が不安定になる虞れがあった。
【０００８】
この発明は上記のような課題を解決するためになされたもので、取付けるべきコンクリートブロックに対してその取付位置が常に一定化するレベル調整具を提供することを目的とする。
【０００９】
【課題を解決するための手段】
上記の目的を達成するために、請求項１記載の発明は、基礎コンクリートとその上方に配置されるコンクリートブロックとの間に設置され、コンクリートブロックの高さ調整をするためのレベル調整具であって、ナットと、ナットの上半分に螺合される第１ボルトと、ナットの下半分に螺合され、第１ボルトとは反対方向のねじ山を有する第２ボルトとからなり、第２ボルトの下面が基礎コンクリート上に配置される高さ調整部と、高さ調整部の第１ボルトの上面に一体的に接続され、コンクリートブロックの端部における底面の一部に沿う水平部材とコンクリートブロックの端部における側面の一部に沿う垂直部材とからなるＬ字形状の垂直断面を有する部材を含む位置決め部とを備え、垂直部材には、それを外方から貫通する態様でねじ込まれる調整用ボルトが取付けられるものである。
【００１０】
このように構成すると、位置決め部をコンクリートブロックに沿わすことによって、レベル調整具のコンクリートブロックの端部における取付位置が一定となる。また、レベル調整具のコンクリートブロックに沿わせた状態が安定する。更に、調整ボルトをねじ込むことによってその内方への突出し程度が変化する。更に、ナットの回転によって、第１ボルト及び第２ボルトの螺合の程度が同様に変化して、第１ボルトの上面と第２ボルトの下面との距離が増減する。
【００１３】
請求項２記載の発明は、請求項１記載の発明の構成において、垂直部材には、上方が開いた切欠部が形成されるものである。
【００１４】
このように構成すると、コンクリートブロックの側面下部に取付けられた位置決めボルトに対して切欠部が係合する。
【００１７】
請求項３記載の発明は、請求項１又は請求項２に記載の発明の構成において、垂直部材には、外方にかつ水平方向に伸びる補助部材が接続されるものである。
【００１８】
このように構成すると、補助部材の端部と載置されたコンクリートブロックの側面との距離が一定となる。
【００１９】
請求項４記載の発明は、請求項１から請求項３のいずれかに記載の発明の構成において、水平部材の上面に配置され、前記コンクリートブロックの底面に接触するシート状の敷板を更に備えたものである。
【００２０】
このように構成すると、コンクリートブロックを水平に移動した場合の位置決め部に対する摺動抵抗が軽減する。
【００２１】
【発明の効果】
以上説明したように、請求項１記載の発明は、レベル調整具の取付位置が一定となるので、コンクリートブロックを安定した位置で確実に支持した状態でその水平レベルを調整することができる。また、レベル調整具のコンクリートブロックに沿わせた状態が安定するため、作業員による取付位置のばらつきが減少するため設置作業の信頼性が向上する。更に、レベル調整具に載置された状態でのコンクリートブロックの水平方向における微調整や、コンクリートブロックの重心に応じた位置合せ等を容易とするため、使い勝手が向上する。更に、ナットの回転によって、第１ボルト及び第２ボルトの螺合の程度が同様に変化して、第１ボルトの上面と第２ボルトの下面との距離が増減するため、ナットの回転によって、レベル調整具に載置されたコンクリートブロックの設置水平レベルを調整することが可能となる。
【００２３】
請求項２記載の発明は、請求項１記載の発明の効果に加えて、コンクリートブロックに取付けられた位置決めボルトに対して切欠部が係合するので、コンクリートブロックの軸方向に対するレベル調整具の取付を所望の位置に確実に実行できる。
【００２５】
請求項３記載の発明は、請求項１又は請求項２に記載の発明の効果に加えて、補助部材の存在によってその端部に沿わせた型枠等を一定位置に設置することが容易となる。
【００２６】
請求項４記載の発明は、請求項１から請求項３のいずれかに記載の発明の効果に加えて、コンクリートブロックの水平方向の移動に対する摺動抵抗が軽減するので、コンクリートブロックの水平方向への微調整が容易となる。
【００２７】
【発明の実施の形態】
図１はこの発明の第１の実施の形態によるレベル調整具の使用状態を示した図であり、図２は図１で示したレベル調整具１１ａの詳細構造を示した拡大図であり、図３は図２のＩＩＩ−ＩＩＩラインから見た図である。
【００２８】
これらの図を参照して、基礎コンクリート１８の上方に配置されるＬ型擁壁１９の底面の両端部には、Ｌ型擁壁１９の設置時の水平レベルを調整するためのレベル調整具１１ａ，レベル調整具１１ｂが取付けられている。
【００２９】
レベル調整具１１ａ，１１ｂは基礎コンクリート１８上に設置される矩形シート形状のベース板１５と、ベース板１５の上面に設置され、その軸方向の長さを調整することができる高さ調整部１３と、高さ調整部１３の上面に一体的に固定され、Ｌ型擁壁１９の端部における底面の一部と側面の一部とに沿うように配置できる断面Ｌ字状の位置決め部１４とによって構成されている。
【００３０】
高さ調整部１３はターンバックル式ナット２５を中心として構成され、ターンバックル式ナット２５の上半分に螺合される平頭ボルト２６と、ターンバックル式ナット２５の下半分に螺合され、平頭ボルト２６とは反対方向のねじ山を有する平頭ボルト２７とから構成されている。
【００３１】
これによってターンバックル式ナット２５をいずれか一方方向に回転させると、その回転に伴って平頭ボルト２６及び平頭ボルト２７がターンバックル式ナット２５に対してその螺合の程度が同様に変化して、結果として平頭ボルト２６の上面と平頭ボルト２７の下面との距離が増減する。これによって、位置決め部１４の水平部材１６の上面とベース板１５の下面との各々の距離をターンバックル式ナット２５の回転によって調整して、Ｌ型擁壁１９の設置水平レベルを調整することが可能となる。
【００３２】
図２に示されているように、位置決め部１４の垂直部材１７はＬ型擁壁１９の左側面に沿うように配置されている。このようにレベル調整具１１ａを配置することによって、Ｌ型擁壁１９の左側面と高さ調整部１３の中心軸との距離Ｌを常に一定とすることが容易となる。
【００３３】
同様に図１に示すレベル調整具１１ｂもＬ型擁壁１９の右側面からの取付位置が常に一定となる。したがって、レベル調整具１１ａ，レベル調整具１１ｂをＬ型擁壁１９の両側面から常に一定の内方位置に設置できるため、Ｌ型擁壁１９のような左右バランスが異なるようなコンクリートブロックに対しても、その重心位置を踏まえた安定した位置でこれを支えることが容易となる。
【００３４】
尚、使用の際には、図示しないツメ付油圧ジャッキを用いてＬ型擁壁を所定の設置高さに持ち上げて、この状態でこのレベル調整具１１ａ，１１ｂをセットしたり、予め配置しておいたレベル調整具の上にクレーン等を用いてＬ型擁壁を設置したりした後、上述のようにレベル調整具の調整を行う。調整が終了すると、油圧ジャッキやクレーン等を外してＬ型擁壁の周辺やその下面にコンクリートを流し込んでＬ型擁壁を基礎コンクリートに固定する。
【００３５】
又、図３に示されているように位置決め部１４の垂直部材１７には上方に開いた切欠部２９が形成されている。そしてこの切欠部２９は、Ｌ型擁壁１９の側面において、図面において貫通する方向に対して所定間隔で設けられたインサート２３に各々ねじ込まれた位置決めボルト２０の胴部がその中にセットできるような位置関係となっている。
【００３６】
すなわち、Ｌ型擁壁１９の側面に一定間隔で前もって位置決めボルト２０を取付けておき、この位置決めボルト２０を目安としてレベル調整具１１をその下方に取付けるように設置すれば良い。その結果、レベル調整具１１はＬ型擁壁１９に対してその軸方向に対しても常に一定の位置に設置することが容易となり、更に設置作業の信頼性が向上するものである。
【００３７】
尚、この実施の形態においては位置決め部１４の垂直部材１７に切欠部２９を設けているが、使用状況によっては切欠部２９を設けずに使用しても良いことは言うまでもない。
【００３８】
図４はこの発明の第２の実施の形態によるレベル調整具の概略構造を示した図である。
【００３９】
図を参照して、このレベル調整具１１を構成する高さ調整部１３、ベース板１５及び位置決め部１４の構造は、先の第１の実施の形態によるものと基本的には同一である。この実施の形態においては、更に位置決め部１４の垂直部材１７に対してこれを貫通するネジ穴３４が形成され、このネジ穴３４に外方から調整用ボルト３３がねじ込まれている。
【００４０】
すなわち、調整用ボルト３３のネジ穴３４に対するねじ込み程度を変えることによって垂直部材１７から内方への調整用ボルト３３の先端の突き出し程度が変化する。又、図示はしていないがＬ型擁壁１９の右側面下部に設置されているレベル調整具１１も同一の構造を有するものとなっている。更に、微調整とは別に調整用ボルト３３の突出しを積極的に行ない、Ｌ型擁壁１９等の重心に応じた位置にレベル調整具１１をセットできるように使用しても良い。
【００４１】
したがって、レベル調整具１１の各々の調整用ボルト３３を所望の方向に回転させることによって、図において矢印で示す方向に対するＬ型擁壁１９の微調整が容易となる。そして、調整後のＬ型擁壁１９の左右方向への不用意な移動も調整用ボルト３３によって阻止することが可能となる。
【００４２】
尚、この実施の形態においては、位置決め部１４の水平部材１６上に水平部材１６に対して摺動自在のシート状の敷板３５が載置されており、敷板３５の上にＬ型擁壁１９が設置されるようになっている。このように敷板３５をＬ型擁壁１９と水平部材１６との間に設置すると、Ｌ型擁壁１９を直接水平部材１６上に設置したものに比べて、敷板３５と水平部材１６との間の摺動抵抗を小さく設定できるため、Ｌ型擁壁１９の水平方向及び軸方向への微調整がより容易となり、作業効率を向上する。
【００４３】
図５はこの発明の第３の実施の形態によるレベル調整具の概略構造を示した図である。
【００４４】
図を参照して、この実施の形態によるレベル調整具は基本的には図４で示した第２の実施の形態によるものと同一である。その相違点は、調整用ボルト３３は垂直部材１７に直接ねじ込まれているものではなく、垂直部材１７の外方面に固定されたナット３６に螺合し、垂直部材１７にはその対応部分に調整用ボルト３３のボルト径より充分大きな開口３７が形成されている点である。
【００４５】
このように構成すると、位置決め部１４の垂直部材１７の厚さにかかわらず調整用ボルト３３は安定した状態でナット３６に螺合できる。このため、調整用ボルト３３の回転によるＬ型擁壁１９の水平方向への微調整を、より安定した状態で実行することができる。
【００４６】
図６はこの発明の第４の実施の形態によるレベル調整具の概略構造を示した図である。
【００４７】
図を参照して、この実施の形態によるレベル調整具は基本的には第１の実施の形態によるものと同一である。その相違点は、位置決め部１４を構成する垂直部材１７の外方面に水平方向に伸びる補助部材４０が固定されている点である。これによって、Ｌ型擁壁１９の設置後にその下方及び周りにコンクリートを流し込む際の仕切りとなる型枠４２及び型枠４３の設置の位置決めが、安定した状態で行なわれることになる。
【００４８】
すなわち、Ｌ型擁壁１９の下方端部にレベル調整具１１ａ，レベル調整具１１ｂを設置した場合、補助部材４０の外方端を基準として型枠４２及び型枠４３を設置すると、型枠４２とＬ型擁壁１９の左側面との距離Ｋ１と、型枠４３とＬ型擁壁１９の右側面との距離Ｋ２とが各々常に一定となる。これによって型枠４２及び型枠４３を別途の基準線に合わせて設置することに比べて、効率的に安定した設置が容易となる。
【００４９】
尚、上記の実施の各形態では、位置決め部として断面Ｌ字状の部材を用いているが、形状はこれに限らず、支持すべきコンクリートブロックの底面と側面とに沿うような面を有するものであれば良い。
【００５０】
又、上記の各実施の形態では、レベル調整具の取付対象をＬ型擁壁としているが、このような左右不均等な重量配分を有するブロックのみならず、ボックスカルバートのような左右均等な重量配分を有するブロックにも同様に適用できる。この場合、左右均等な位置にレベル調整具を配置することは片荷状態を回避することになり、片荷に伴うブロックの横滑りやレベル調整具の座屈等を確実に防止できる。
【００５１】
更に、上記の各実施の形態では、ベース板を設けているがこれは設置状況によっては必ずしも必要なものではなく、ベース板を有さないレベル調整具であっても同様の効果を奏する。
【００５２】
更に、上記の各実施の形態では、ターンバックル式ナットの下方に平頭ボルトが設けられているが、この部分は従来例として示したものと同様の構成であっても良い。
【図面の簡単な説明】
【図１】この発明の第１の実施の形態によるレベル調整具の使用状態を示した図である。
【図２】図１のレベル調整具１１ａの詳細構造を示した拡大図である。
【図３】図２のＩＩＩ−ＩＩＩラインから見た図である。
【図４】この発明の第２の実施の形態によるレベル調整具の概略構造を示した図である。
【図５】この発明の第３の実施の形態によるレベル調整具の概略構造を示した図である。
【図６】この発明の第４の実施の形態によるレベル調整具の使用状態を示した図である。
【図７】従来のレベル調整具の使用状態を示した図である。
【符号の説明】
１１…レベル調整具
１３…高さ調整部
１４…位置決め部
１６…水平部材
１７…垂直部材
１８…基礎コンクリート
１９…Ｌ型擁壁
２０…位置決めボルト
２９…切欠部
３３…調整用ボルト
３５…敷板
４０…補助部材
尚、各図中同一符号は同一又は相当部分を示す。
【図１】
0003598061.tif 000002
【図２】
0003598061.tif 000003
【図３】
0003598061.tif 000004
【図４】
0003598061.tif 000005
【図５】
0003598061.tif 000006
【図６】
0003598061.tif 000007
【図７】
0003598061.tif 000008